(57)【要約】【課題】入力信号を選択してから表示までの時間の短縮し、更に、コストダウンを図ること、または、入力信号の種類の判定精度を高めること【解決手段】表示装置は、複数の経路の間で、入力する画像信号の経路を選択する切替部３と、経路の画像信号の有無を検出する信号検出部４と、複数の経路に共通に設けられた画像処理部９０とパラメータ生成部６４と、パラメータを選択経路に対応したメモリ７の記憶領域に保存し、選択経路を第１の経路から第２の経路に切り替えた後でも信号検出部が第１の経路に画像信号を検出している間は、第１の経路のパラメータをメモリに保持し、第１の経路に前記画像信号が検出されなくなるとメモリのパラメータを消去するメモリ制御部８と、メモリに選択経路の前記パラメータが保持されている場合には新たにパラメータを取得せずにメモリからパラメータを読み出して画像処理部９０に設定する画像処理制御部１０と、を有する。【選択図】図１
2013242557.tif 000002
【特許請求の範囲】
【請求項１】
画像信号に対応する画像を表示する表示装置であって、
複数の経路の間で、入力する画像信号の経路を切り替えて選択する経路切替手段と、
前記経路の画像信号の有無を検出する検出手段と、
前記複数の経路に共通に設けられ、前記経路切替手段によって選択された選択経路の画像信号に対してパラメータに従った処理を施す画像処理手段と、
前記複数の経路に共通に設けられ、前記選択経路の前記画像信号のフォーマットに従った前記パラメータを取得するパラメータ取得手段と、
前記パラメータ取得手段が取得したパラメータを前記選択経路に対応したメモリの記憶領域に保存し、前記経路切替手段が前記選択経路を第１の経路から第２の経路に切り替えた後でも前記検出手段が前記第１の経路に前記画像信号を検出している間は前記第１の経路の前記パラメータを前記メモリに保持し、前記検出手段が前記第１の経路に前記画像信号を検出しなくなると前記メモリの前記第１の経路の前記パラメータを消去するメモリ制御手段と、
前記メモリに前記選択経路の前記パラメータが保持されている場合には前記パラメータ取得手段から新たにパラメータを取得せずに前記メモリから前記パラメータを読み出して前記画像処理手段に設定する画像処理制御手段と、
を有することを特徴とする表示装置。
【請求項２】
前記検出手段は前記画像信号の変化も更に検出し、
前記メモリ制御手段は、前記検出手段が前記第１の経路の前記画像信号の変化を検出しない間は前記第１の経路の前記パラメータを前記メモリに保持し、前記検出手段が前記第１の経路の前記画像信号の変化を検出すると前記メモリの前記第１の経路の前記パラメータを消去することを特徴とする請求項１に記載の表示装置。
【請求項３】
画像信号に対応する画像を表示する表示装置であって、
複数の経路の間で、入力する画像信号の経路を切り替えて選択する経路切替手段と、
前記経路の画像信号の有無を検出する検出手段と、
前記複数の経路に共通に設けられ、前記経路切替手段によって選択された選択経路の画像信号に対し、少なくとも１垂直同期期間あたりの水平同期信号パルス数を含む同期情報を取得する同期情報取得手段と、
前記同期情報取得手段が取得した前記同期情報を前記選択経路に対応したメモリの記憶領域に保存し、前記経路切替手段が前記選択経路を第１の経路から第２の経路に切り替えた後でも前記検出手段が前記第１の経路に前記画像信号を検出している間は前記第１の経路の前記同期情報を前記メモリに保持し、前記検出手段が前記第１の経路に前記画像信号を検出しなくなると前記メモリの前記第１の経路の前記同期情報を消去するメモリ制御手段と、
前記メモリに保存されている前記同期情報に基づいて前記選択経路に入力する画像信号の種類を識別する識別手段と、
を有することを特徴とする表示装置。
【請求項４】
前記検出手段は前記画像信号の変化も更に検出し、
前記メモリ制御手段は、前記検出手段が前記第１の経路の前記画像信号の変化を検出しない間は前記第１の経路の前記同期情報を前記メモリに保持し、前記検出手段が前記第１の経路の前記画像信号の変化を検出すると前記メモリの前記第１の経路の前記同期情報を消去することを特徴とする請求項３に記載の表示装置。
【発明の詳細な説明】
【技術分野】
【０００１】
本発明は、投射型表示装置や液晶ディスプレイなどの表示装置に関する。
【背景技術】
【０００２】
表示装置、例えば、投射型表示装置では、コンピュータのデジタルＲＧＢ信号、アナログＲＧＢ信号、ＡＶ機器のＨＤＭＩ（登録商標）信号、コンポーネントビデオ信号といった多数の入力に対応するものが求められている。かかる表示装置は、これらの信号を別々の入力端子から入力する場合が多いが、表示装置内部ではＴＭＤＳ変換部やＡＤ変換部にて予め規定している内部伝送形式に変換し、一つの信号処理部へと接続されている。ＴＭＤＳ変換部では、デジタルＲＧＢ信号及びＨＤＭＩ信号などのＴＭＤＳ形式の画像信号（映像信号）を、ＡＤ変換部ではアナログＲＧＢ信号やコンポーネントビデオ信号などのアナログ形式の画像信号を、それぞれ内部の伝送形式へと変換する。表示装置を安価にするため、ＴＭＤＳ変換部やＡＤ変換部はそれぞれ一つとし、入力端子との間に切替部を備える場合もある。また、アナログＲＧＢ信号およびコンポーネントビデオ信号の入力端子を兼用とし、端子に掛かるコストやスペースを削減する構成がなされる場合も多い。
【０００３】
使用者の入力選択に応じて、信号処理部、ＴＭＤＳ変換部またはＡＤ変換部、切替部にて種々の設定がなされる。この場合、表示装置は、入力選択がなされてから入力端子に入力されている画像が表示されるまでに掛かる時間の短縮、表示装置のコストダウンが求められる。
【０００４】
特許文献１は、切替速度を速めるために、アナログＲＧＢ信号やコンポーネントビデオ信号などの類似の画像信号のＡＤ変換部を共用とせずに専用としている。特許文献２は、アナログＲＧＢ信号及びコンポーネントビデオ信号を共通の入力端子とし、入力信号を、入力信号の同期信号の種別と周波数から判定する方法を開示している。
【先行技術文献】
【特許文献】
【０００５】
【特許文献１】特開２００５−２１５５５７号公報
【特許文献２】特開２００７−２４１２６１号公報
【発明の概要】
【発明が解決しようとする課題】
【０００６】
しかしながら、特許文献１は、入力端子毎に専用の信号形式変換部等を備える必要があり、入力端子を増やす毎にコストアップとなる。特許文献２も、アナログＲＧＢ信号兼コンポーネントビデオ信号用の入力端子を複数備えると、同期信号の種別判定部及び周波数測定部が複数必要となり、コストアップとなる。
【０００７】
本発明は、入力信号を選択してから表示までの時間の短縮し、更に、コストダウンを図ることが可能な表示装置を提供することを例示的な目的とする。
【０００８】
また、本発明は、入力信号の種類の判定精度を高めることが可能な表示装置を提供することを別の例示的な目的とする。
【課題を解決するための手段】
【０００９】
本発明の表示装置は、画像信号に対応する画像を表示する表示装置であって、複数の経路の間で、入力する画像信号の経路を切り替えて選択する経路切替手段と、前記経路の画像信号の有無を検出する検出手段と、前記複数の経路に共通に設けられ、前記経路切替手段によって選択された選択経路の画像信号に対してパラメータに従った処理を施す画像処理手段と、前記複数の経路に共通に設けられ、前記選択経路の前記画像信号のフォーマットに従った前記パラメータを取得するパラメータ取得手段と、前記パラメータ取得手段が取得したパラメータを前記選択経路に対応したメモリの記憶領域に保存し、前記経路切替手段が前記選択経路を第１の経路から第２の経路に切り替えた後でも前記検出手段が前記第１の経路に前記画像信号を検出している間は前記第１の経路の前記パラメータを前記メモリに保持し、前記検出手段が前記第１の経路に前記画像信号を検出しなくなると前記メモリの前記第１の経路の前記パラメータを消去するメモリ制御手段と、前記メモリに前記選択経路の前記パラメータが保持されている場合には前記パラメータ取得手段から新たにパラメータを取得せずに前記メモリから前記パラメータを読み出して前記画像処理手段に設定する画像処理制御手段と、を有することを特徴とする。
【発明の効果】
【００１０】
本発明によれば、入力信号を選択してから表示までの時間の短縮し、更に、コストダウンを図ること、または、入力信号の種類の判定精度を高めることが可能な表示装置を提供することができる。
【図面の簡単な説明】
【００１１】
【図１】本発明の表示装置のブロック図である。（実施例１）
【図２】図１に示すメモリ制御部の制御フローである。（実施例１）
【図３】図１に示す画像処理制御部の制御フローである。（実施例１）
【図４】本発明の表示装置のブロック図である。（実施例２）
【図５】図４に示すメモリ制御部の制御フローである。（実施例２）
【図６】本発明の表示装置のブロック図である。（実施例３）
【図７】図６に示す表示装置の入力選択メニューの図である。（実施例３）
【図８】図６に示すメモリ制御部の制御フローである。（実施例３）
【図９】図６に示すＯＳＤ制御部の入力信号有無判定フローである。（実施例３）
【発明を実施するための形態】
【００１２】
以下に、本発明の好ましい実施例を、添付の図面に基づいて詳細に説明する。
【実施例１】
【００１３】
図１は、実施例１の表示装置のブロック図である。表示装置は、画像信号（映像信号）に対応する画像を表示する。表示装置は、入力端子Ａ１、入力端子Ｂ２、切替部３、信号検出部４、入力選択部５、信号解析部６０、メモリ７、メモリ制御部８、画像処理部９０、画像処理制御部１０を有する。本実施例の表示装置は、液晶プロジェクタ、ＤＬＰ（Ｄｉｇｉｔａｌ Ｌｉｇｈｔ Ｐｒｏｃｅｓｓｉｎｇ）プロジェクタ等の投射型表示装置や液晶ディスプレイに適用することができる。
【００１４】
入力端子Ａ１、及び、入力端子Ｂ２は、Ｄ−Ｓｕｂ１５ピン端子であり、コンピュータ等のアナログＲＧＢ信号、及び、ＡＶ機器等のコンポーネントビデオ信号用の入力端子である。すなわち、入力端子Ａ１と入力端子Ｂ２は、２種類の画像信号が入力可能である。それぞれ、水平同期信号線、垂直同期信号線、Ｒ（Ｃｒ）信号線、Ｇ（Ｙ）信号線、Ｂ（Ｃｂ）信号線の５種の信号受け口を有し、コンピュータやＡＶ機器と接続される。このように、本実施例の表示装置は、複数の入力端子を有する。各入力端子には少なくとも１種類の画像信号が入力され、画像信号は同期信号を含んでいる。
【００１５】
入力端子とそれに入力される画像信号は信号の経路によって特定される。例えば、入力端子Ａ１に入力されるアナログＲＧＢ信号と入力端子Ａ１に入力されるコンポーネントビデオ信号（以下、「ＣＶ信号」と称する場合がある）は異なる経路を有する。画像信号を適当な形式で表示するには、画像信号を同期信号のフォーマットに適したパラメータを利用して画像処理をする必要がある。
【００１６】
切替部３は、経路を切り替える経路切替手段として動作し、入力選択部５に従い、入力端子Ａ１、または、入力端子Ｂ２の一方の画像経路を選択し、選択された入力端子に入力される画像信号を出力する。
【００１７】
信号検出部（検出手段）４は、経路における画像信号の有無を検出する。本実施例の信号検出部４は、入力端子Ａ１及び入力端子Ｂ２それぞれの水平／垂直同期信号線及びＧ（Ｙ）信号線を監視し、同期信号の有無を検出する。好ましくは、同期信号の極性、周期等、同期信号の種類等に変化が生じた場合、検出結果を一度同期信号無とし、その後状態が安定していると判断されたところで同期信号有とするように動作する。同期信号の種類としては、水平同期信号線から水平同期信号が、垂直同期信号線から垂直同期信号がそれぞれ入力される水平／垂直分離同期信号、Ｇ（Ｙ）信号線に複合同期信号が重畳されたＳＯＧ（シンクオングリーン）信号の種類の判定が行えればよい。さらに、水平同期信号線から入力される複合同期信号の判定を行うとなおよい。
【００１８】
本実施例の信号検出部４は、複数の経路のそれぞれに対して画像信号の有無を検出するが、これは必須ではない。例えば、切替部３によって第１の経路から第２の経路に切り替わり、再度、第１の経路に切り替えられた場合であって、第１の経路の入力信号が切替の前後で継続して検出されている場合を考える。この場合、本実施例は切替前の第１の経路の入力信号を解析し、その結果、生成されてメモリ７に格納されたパラメータを、切替後の第１の経路のパラメータに（改めてその入力信号を解析することなく）使用するものである。つまり、この場合には、信号検出部４は第１の経路の画像信号の有無を検出すれば足りる。
【００１９】
入力選択部５は、表示装置が表示すべき入力信号を選択する入力選択手段として動作し、使用者（ユーザ）によって操作される。本実施例では、入力端子Ａ１から入力される、アナログＲＧＢ信号Ａ、ＣＶ信号Ａ、及び、入力端子Ｂ２から入力される、アナログＲＧＢ信号Ｂ、ＣＶ信号Ｂの４種が入力信号として選択可能である。但し、入力信号の種類はこれらに限定されない。より具体的な選択方法としては、不図示の操作ボタンやＯＳＤ（オンスクリーンディスプレイ）によるメニュー操作等が利用可能だが、それらに制限されるものではない。
【００２０】
信号解析部（信号解析手段）６０は、複数の経路に共通に設けられ、画像信号（またはそれに含まれる同期信号）を解析し、切替部３によって切替選択された経路の画像信号の同期信号のフォーマットに従った前記パラメータを取得する。本実施例の信号解析部６０は、同期信号分離部６１、同期周波数測定部６２、フォーマット判定部６３、パラメータ生成部６４を有する。
【００２１】
同期信号分離部６１は、水平／垂直分離同期信号が入力されている場合はそのまま出力し、水平／垂直分離同期信号が入力されておらずにＳＯＧ信号が入力されている場合は水平／垂直分離形式に分離して出力する。同期信号以外の画像信号は処理を加えずに出力する。本実施例では同期信号の種類の判別は信号検出部４が行っているが、同期信号分離部６１が行ってもよい。
【００２２】
同期周波数測定部６２は、水平同期信号および垂直同期信号を入力とし、それぞれの周波数（もしくは周期）を測定し、フォーマット判定部６３へと通知する。
【００２３】
フォーマット判定部６３は、信号検出部４（もしくは同期信号分離部６１）において検出された同期信号、及び、同期周波数測定部６２で測定された水平同期信号および垂直同期信号に基づいて画像信号のフォーマットを判定（特定）する。フォーマットは、フォーマット判定部６３が不図示の格納されたテーブルを参照することによって、同期信号の種類と水平同期信号周波数（または周期）、水平同期周波数（または周期か水平同期のパルス数）から一意的に定まるフォーマットＩＤとして表される。フォーマット判定部６３は、取得したフォーマットＩＤをパラメータ生成部６４へ通知する。
【００２４】
パラメータ生成部６４は、ＡＤ変換部９１及び表示部９２に適用する各種パラメータの生成を行い、生成が完了すると画像処理制御部１０及びメモリ制御部８へと出力する。パラメータの生成は、不図示のメニューによる使用者からの表示状態の変更を行う各種設定値と、フォーマット判定部６３により判定されたフォーマットＩＤに依存して決定される。「各種設定値」とは、アスペクト比やガンマの設定といった表示装置が行うものを指す。一方、ＡＤ変換部９１への設定パラメータとは、クランプレベルやＡＤ変換の際のサンプリング周波数等が含まれる。なお、パラメータ生成部６４は、算出によってパラメータを生成してもよいし、テーブルを参照してパラメータを取得してもよい。即ち、パラメータ生成部６４は、パラメータを取得するパラメータ取得手段として動作すれば足りる。
【００２５】
メモリ７は、記憶手段として動作し、少なくとも切替部３により選択可能な経路毎にパラメータを保存する領域が区切られており、各領域に対するパラメータの保存やクリア（消去）を後述のメモリ制御部８の制御により実行する。また、後述の画像処理制御部１０のパラメータ取得要求に対し、保存されているパラメータを出力する。パラメータがクリアされている場合は、それが分かる返信を行う。また、保存領域に関しては、画像経路毎に区切るとしたが、入力選択部５により選択可能な入力信号毎に区切ってもよい。
【００２６】
メモリ制御部（メモリ制御手段）８は、メモリ７の領域を指定し、パラメータ生成部６４で生成されたパラメータを、メモリ７の経路に対応した記憶領域に保存（記憶）する。また、メモリ制御部８は、信号検出部４が第１の経路に画像信号を検出している間、パラメータをメモリ７に保存し続け（保持し）、信号検出部４が第１の経路に画像信号を検出しなくなるとメモリ７の記憶領域のパラメータの情報をクリア（消去）する。保存する場合の領域指定は、入力選択部５で選択されている入力信号に依存して決定されるが、クリアする場合に関しては、入力選択部５で選択されている入力信号に依存せずに信号検出部４にて同期信号無と検出された経路に対応する領域に対して行う。詳細なフローについては後述する。
【００２７】
画像処理部（画像処理手段）９０は、複数の経路に対して共通に設けられ、切替部３によって切り替えられた経路の画像信号に対してパラメータに従った処理を施し、ＡＤ変換部９１、表示部９２を有する。
【００２８】
ＡＤ変換部９１は、アナログの画像信号を、画像処理制御部１０から設定されるクランプレベルとサンプリング周波数等のパラメータでＡＤ変換し、デジタルの画像信号へと変換する。
【００２９】
表示部９２は、隣接して配置された複数の画素を有する画像表示素子を備えており、入力されたデジタル画像信号を光画像として表示する。また、表示部９２は解像度変換機能やガンマ調整機能等も備えており、その設定パラメータを画像処理制御部１０により制御される。
【００３０】
画像処理制御部（画像処理制御手段）１０は、入力選択部５で選択されている入力信号、及び、パラメータ生成部６４またはメモリ７から供給されるパラメータに応じて、ＡＤ変換部９１と表示部９２の制御を行う。パラメータの取得から設定への詳細なフローについては後述する。
【００３１】
図２は、メモリ制御部８が行う制御フローである。同図において、「Ｓ」はステップ（工程）の略、「Ｙ」は「はい（Ｙｅｓ）」、「Ｎ」は「いいえ（Ｎｏ）」を表す。これは他のフローチャートにも同様である。図２に示すフローチャートは、コンピュータによって各ステップの機能を実行させるプログラムとして具現化可能である。これは他のフローチャートにも同様である。
【００３２】
Ｓ２０１では、変数ｉに最初の経路（例えば、上述した４つの信号に対応する経路の一つ）を設定する。Ｓ２０２では、メモリ７の経路ｉの記憶領域にパラメータが未登録であるかどうかを判断する。未登録であればＳ２０３へ、パラメータが登録済みであればＳ２０７へと分岐する。
【００３３】
Ｓ２０３では、経路ｉが入力選択部５によって選択されている入力信号の経路と一致する場合はＳ２０４へ、一致しない場合はＳ２０９へと分岐する。Ｓ２０４では、信号検出部４において経路ｉに同期信号が存在するかどうかを判断し、同期信号がある場合はＳ２０５へ、無い場合はＳ２０９へと分岐する。
【００３４】
Ｓ２０５では、パラメータ生成部６４によってパラメータの生成が完了しているかどうか判断し、完了している場合はＳ２０６へ、完了していない場合にはＳ２０９へと分岐する。Ｓ２０６では、パラメータ生成部６４から出力されたパラメータをメモリ７の経路ｉの記憶領域に保存する。
【００３５】
Ｓ２０７では、信号検出部４において経路ｉに同期信号がないかどうかを判断し、同期信号が無い場合はＳ２０８へ、ある場合はＳ２０９へと分岐する。Ｓ２０８では、メモリ７の経路ｉの記憶領域に保存されていたパラメータをクリアする。このように、信号検出部４が経路ｉに画像信号を検出しなくなると（Ｓ２０７のＹ）、メモリの記憶領域のパラメータの情報が消去される（Ｓ２０８）。信号検出部４が経路ｉに画像信号を検出している間は（Ｓ２０７のＮ）、パラメータをメモリに記憶し続ける（保持する）。
【００３６】
Ｓ２０９では、経路ｉが最終経路であるかどうかを判断し、最終経路でなければ変数ｉに次の経路を設定し（Ｓ２１０）、Ｓ２０２へ戻り、最終経路であればＳ２０１へと戻り、変数ｉに最初の経路を設定する。以上のような制御フローで、入力信号の有無状態が変化した場合に対し、メモリ７を適切な状態とする。
【００３７】
図３は、画像処理制御部１０が行う制御フローである。
【００３８】
Ｓ３０１では、表示装置の起動時の制御に相当し、予め定められた初期パラメータで画像処理部９０を初期化する。Ｓ３０２では、入力選択部５にて選択されている入力信号の経路（選択経路）に対応する、メモリ７の記憶領域にパラメータが登録済みであるかどうかを判断する。パラメータが登録済みであればＳ３０３へ、パラメータが未登録であればＳ３０５へと分岐する。
【００３９】
Ｓ３０３では、メモリ７から取得したパラメータを既にＡＤ変換部９１及び表示部９２に対し適用済みであるかどうかを判断し、未適用であればＳ３０４においてパラメータの適用を行い、適用済みであれば何もせずにＳ３０７へと進む。
【００４０】
Ｓ３０５では、パラメータ生成部６４におけるパラメータ生成が完成しているかどうかを判断し、完成していればそのパラメータをＡＤ変換部９１及び表示部９２に適用し、未完成であれば何もせずにＳ３０７へと進む。
【００４１】
Ｓ３０７では、経路が前回から変更されているかどうかを判断し、切り替えが発生していれば、Ｓ３０８において所定の無信号パラメータをＡＤ変換部９１及び表示部９２に適用し、変更されていなければ何もせずにＳ３０２へと戻る。以上のような制御フローで、入力信号の有無状態が変化した場合や入力選択を変更した場合に、ＡＤ変換部９１及び表示部９２に適切なパラメータを適用する。
【００４２】
ここで、切替部３によって第１の経路から第２の経路に切り替わり、再度、第１の経路に切り替えられた場合であって、第１の経路の入力信号が切替の前後で継続して検出されている場合を考える。例えば、入力端子Ａ１（第１の入力端子）にアナログＲＧＢ信号Ａが入力され、入力端子Ｂ２（第２の入力端子）にＣＶ信号Ｂが同時に入力され、両信号が継続的に入力されている場合を考える。最初に切替部３がアナログＲＧＢ信号Ａを選択し、次いで、ＣＶ信号Ｂを選択し、再度、切替部３がアナログＲＧＢ信号Ａを選択する。
【００４３】
この場合、本実施例は切替前の第１の経路の入力信号に対しては、それを解析し、パラメータを作成してメモリ７の第１の経路の記憶領域にそれを登録する（Ｓ２０６）。そして、本実施例は切替後の第１の経路の入力信号に対しては、（新たにその入力信号のパラメータを取得することなく）メモリ７に保存されたパラメータを適用する（Ｓ３０４）。この結果、信号解析部６０による解析処理を省略することができ、表示されるまでの時間を短縮することができる。また、パラメータの変更が必要な場合は信号検出部４において無信号が検出され、パラメータがクリアされるため、不適切なパラメータを適用することもない。
【００４４】
一方、本実施例では、切替部３によって第１の経路から第２の経路に切り替わり、再度、第１の経路に切り替えられた場合であっても、第１の経路の入力信号が継続して検出されていない場合にはメモリ７のパラメータをクリアする（Ｓ２０８）。例えば、アナログＲＧＢ信号Ａが、ＣＶ信号Ｂに切り替えられた後で入力がされなくなり、その後にアナログＲＧＢ信号Ａが再度入力され、その後に切替部３がそれを選択した場合である。この場合には、第１の経路の切替後の入力信号が切替前の入力信号であるという信頼性が低下しているからである。
【００４５】
以上、本実施例によれば、複数の経路の間で信号解析部６０と画像処理部９０を共用することによってコストダウンを図り、また、信号解析部６０による新たな解析処理を省略することによって入力選択してから表示されるまでの時間を短くしている。併せて、時間を短縮した場合の表示形式の信頼性も確保している。
【００４６】
本実施例では、入力端子Ａ１及び入力端子Ｂ２は、Ｄ−Ｓｕｂ１５ピン端子としたが、ＤＶＩ−Ｉ端子や５ＢＮＣ端子でも同様の効果が得られる。また、入力端子を２系統、入力信号が４種としたが、それらが増加しても同様の効果を得る事が可能である。また、アナログ画像信号に対する構成を説明してきたが、デジタル信号、例えばＤＶＩやＨＤＭＩ信号においても、本発明を適用することができる。この場合は、信号解析部６０はＴＭＤＳレシーバーやＨＤＭＩレシーバー等に置き換わり、信号検出部４も、例えば、５Ｖ  Ｐｏｗｅｒライン等を監視する回路等で実現させることができる。
【実施例２】
【００４７】
図４は、実施例２の表示装置のブロック図である。本実施例は、実施例１とは、信号検出部４及びメモリ制御部８が、それぞれ、信号変化検出部１１及びメモリ制御部１２に置き換わった点で異なる。
【００４８】
信号変化検出部（検出手段）１１は、経路における画像信号の有無と画像信号（またはそれに含まれる同期信号）の変化を検出する。即ち、信号変化検出部１１は、信号検出部４の機能に加えて信号変化を検出する機能を更に有する。
【００４９】
本実施例の信号変化検出部１１は、入力端子Ａ１及び入力端子Ｂ２それぞれの水平／垂直同期信号線及びＧ（Ｙ）信号線を監視し、同期信号の有無の判定と、同期信号の極性、水平同期周期、垂直ライン数、同期信号の種類の変化を検出する。但し、複数の経路のそれぞれに対して画像信号の有無と信号変化を検出しなくてもよい点は実施例１と同様である。
【００５０】
ここで垂直ライン数とは、１垂直同期信号期間に存在する水平同期信号パルスのカウント値のことである。対応する同期信号の種類としては、実施例１の信号検出部４の場合と同等でよい。信号変化検出部１１は、同期信号が有から無に変化した場合、無から有に変化した場合、同期信号有状態のまま同期信号の極性や水平同期周期やライン数や同期信号の種類が変化した場合に、変化が発生した経路をメモリ制御部１２へと通知する。また、メモリ制御部１２からの問い合わせにより、同期信号の有無の出力も行える。
【００５１】
メモリ制御部１２は、基本的には実施例１のメモリ制御部８と同様の機能を果たすが、信号検出部４が信号変化検出部１１に置き換わったことに応じて動作が変更されている。
【００５２】
図５は、メモリ制御部１２の制御フローである。
【００５３】
Ｓ５０１では、信号変化検出部１１で変化が発生したかどうかを判断し、変化が発生した場合はＳ５０２へ、変化が発生していない場合はＳ５０９へと分岐する。Ｓ５０２では、変数ｉに信号変化検出部１１で変化が発生した経路をセットする。その後、Ｓ５０７に移行する。
【００５４】
Ｓ５０７では、メモリ７の経路ｉの領域にパラメータが未登録であればＳ５０３へ移行し、パラメータが登録済みであればＳ５０８へ進む。Ｓ５０８では、メモリ７の経路ｉの領域に保存されていたパラメータをクリアする。その後、Ｓ５０３に移行する。
【００５５】
Ｓ５０３では、経路ｉが入力選択部５にて選択されている入力信号経路と一致する場合はＳ５０４へ、一致しない場合はＳ５０１へ戻る。
【００５６】
Ｓ５０４では、信号変化検出部１１において経路ｉに同期信号が存在しているかどうか判断し、同期信号がある場合はＳ５０５へ進み、無い場合はＳ５０１へ戻る。Ｓ５０５では、パラメータ生成部６４におけるパラメータの生成が完了するまで待ち、完了後Ｓ５０６へ進む。Ｓ５０６では、パラメータ生成部６４から出力されたパラメータをメモリ７の経路ｉの領域へと保存する。
【００５７】
Ｓ５０９では、入力選択部５にて選択されている入力信号経路が変更されているかどうかを判断し、変更があった場合にはＳ５１０へ進み、変更が無かった場合にはＳ５０１へ戻る。
【００５８】
Ｓ５１０では、変数ｉに入力選択部５に新しく設定された経路を設定する。Ｓ５１１では、メモリ７の経路ｉの領域を判断し、パラメータが未登録であればＳ５０４へ進み、パラメータが登録済みであればＳ５０１へ戻る。以上のよう制御フローで、入力信号の状態が変化した場合や入力選択を変更した場合に対し、メモリ７を適切な状態とする。
【００５９】
本制御によれば、入力される画像信号の同期信号がシームレスに変化した場合に、メモリ７へのパラメータ設定を実施例１よりも素早くすることができる。
【００６０】
本実施例では、信号変化検出部１１は、変化が発生した場合にメモリ制御部１２に通知する構成としたが、メモリ制御部１２から定期的に変化の有無を問い合わせる構成としてもよい。この場合の変化の有無とは、前回問い合わせた状態に対して変化が発生したかどうかである。
【実施例３】
【００６１】
図６は、実施例３の表示装置のブロック図である。表示装置は、入力端子Ａ１、入力端子Ｂ２、切替部３、信号検出部４、入力選択部１３、同期信号分離部６１、同期情報取得部６５、メモリ１４、メモリ制御部１５、画像処理部９０、ＯＳＤ制御部１６を有する。入力端子Ａ１、入力端子Ｂ２、切替部３、信号検出部４、同期信号分離部６１は、実施例１のものと同等であるため、説明を省略する。
【００６２】
入力選択部１３は、使用者によって操作され、表示装置として表示する入力信号の選択を行う。実施例１と同様に、入力端子Ａ１から入力される、アナログＲＧＢ信号Ａ、ＣＶ信号Ａ、及び、入力端子Ｂ２から入力される、アナログＲＧＢ信号Ｂ、ＣＶ信号Ｂの４種が入力信号として選択可能である。ユーザーによる入力選択の実作業は、不図示の入力選択ボタン、上ボタン、下ボタン、設定ボタンを使って、後述のＯＳＤ挿入部９３にて表示される入力選択メニューを操作して行う。
【００６３】
同期情報取得部（同期情報取得手段）６５は、切替部３が選択した選択経路の画像信号に対し、１垂直同期期間あたりの水平同期信号パルス数（垂直ライン数）を含む同期情報を取得し、メモリ制御部１５へと出力する。垂直同期周期または垂直同期周波数でも代用可能である。好ましくは、水平同期信号周期も測定し、メモリ制御部１５へと出力する。
【００６４】
メモリ１４は、少なくとも切替部３により選択可能な画像経路毎にパラメータを保存する領域が区切られており、各領域に対する同期情報の保存やクリアを後述のメモリ制御部１５の制御により実行する。また、後述のＯＳＤ制御部１６の同期情報取得要求に対し、保存されている同期情報を出力する。同期情報がクリアされている場合は、それが分かる返信を行う。また、保存領域に関しては、画像経路毎に区切るとしたが、入力選択部１３により選択可能な入力信号毎に区切ってもよい。
【００６５】
メモリ制御部（メモリ制御手段）１５は、メモリ１４の選択経路に対応する記憶領域に、同期情報として、信号検出部４で検出された同期信号の種類と同期情報取得部６５で測定された垂直ライン数を保存したりクリアしたりする。保存する場合の領域指定は、入力選択部１３で選択されている入力信号に依存して決定されるが、クリアする場合に関しては、入力選択部１３で選択されている入力信号に依存せずに信号検出部４にて同期信号無と検出された画像経路に対応する領域に対して行う。詳細なフローについては後述する。
【００６６】
画像処理部（画像処理手段）９０は、ＡＤ変換部９１、ＯＳＤ挿入部９３、表示部９２を有する。ＡＤ変換部９１、表示部９２は実施例１のものと同様であるため説明を省略する。
【００６７】
ＯＳＤ挿入部９３は、後述のＯＳＤ制御部１６により制御され、少なくとも入力選択メニューの挿入が行える。
【００６８】
ＯＳＤ制御部１６は、少なくとも入力選択メニューの制御を行う。入力選択メニューは、入力選択部１３で選択できる入力信号の全種類に対して、入力信号の有無判定結果の表示と、現在選択されている入力信号の種類が表示される。
【００６９】
図７は、入力選択メニューの一例を示す図である。入力選択メニュー７０は、アナログＲＧＢ信号Ａ選択肢７１、アナログＲＧＢ信号Ｂ選択肢７２、ＣＶ信号Ａ選択肢７３、ＣＶ信号Ｂ選択肢７４、入力選択信号カーソル７５を有する。各選択肢の文字色は入力信号の有無判定結果を表しており、ハイライトされていれば入力信号有を、そうでなければ入力信号無を示している。入力信号の有無判定フローについては後述する。なお、図７に示す構成は単なる一例であり、これに限定されない。
【００７０】
ユーザーが入力選択を変更する場合、ユーザーにより入力選択ボタンが押され、入力信号有無判定もなされ、その結果が反映された入力選択メニュー７０が表示される。また、入力選択信号カーソル７５は、現在選択されている入力信号の左に表示される。ユーザーが上（または下）ボタンを押すと上（または下）に位置する選択肢に入力選択信号カーソルが動き、任意の選択肢を選んだところで設定ボタンを押すと入力選択が実行される。ユーザーは、選択を適用する前にその入力信号の種類と入力信号の有無判定結果が分かるので選択を行い易くなる。
【００７１】
図８は、メモリ制御部１５の制御フローを示す図である。Ｓ８０１では、変数ｉに最初の経路をセットする。Ｓ８０２では、メモリ１４の経路ｉの領域を判断し、同期情報が未登録であればＳ８０３へ、同期情報が登録済みであればＳ８０７へと分岐する。Ｓ８０３では、経路ｉが入力選択部１３にて選択されている入力信号経路と一致する場合はＳ８０４へ、一致しない場合はＳ８０９へと分岐する。Ｓ８０４では、信号検出部４において経路ｉに同期信号が存在しているかどうか判断し、同期信号がある場合はＳ８０５へ、無い場合はＳ８０９へと分岐する。Ｓ８０５では、同期情報取得部６５から同期情報を取得する。Ｓ８０６では、同期情報取得部６５から出力された同期情報をメモリ１４の経路ｉの領域へと保存する。一方、Ｓ８０７では、信号検出部４において経路ｉに同期信号が存在しているかどうか判断し、同期信号が無い場合はＳ８０８へ、有る場合はＳ８０９へと分岐する。Ｓ８０８では、メモリ１４の経路ｉの領域に保存されていた同期情報をクリアする。Ｓ８０９では、経路ｉが最終経路で有るかどうか判断し、最終経路でなければ変数ｉに次の経路を設定しＳ８０２へ戻り、最終経路であればＳ８０１へと戻り変数ｉに最初の経路を設定する。以上のような制御フローで、入力信号の有無状態が変化した場合に、メモリ１４を適切な状態とする。
【００７２】
図９は、ＯＳＤ制御部１６の入力信号有無判定フローを示す図である。即ち、ＯＳＤ制御部１６は、メモリ１４に保存されている同期情報に基づいて選択経路に入力する画像信号の種類を識別する識別手段として機能する。
【００７３】
Ｓ９０１からＳ９０６で、入力端子Ａ１に属するアナログＲＧＢ信号Ａ及びＣＶ信号Ａの入力有無判定を、Ｓ９０７からＳ９１２で、入力端子Ｂ２に属するアナログＲＧＢ信号Ｂ及びＣＶ信号Ｂの入力有無判定を行う。入力端子Ｂ２側の判定フローは、入力端子Ａ１の判定フローに対し、端子名以外は同様であるため、入力端子Ａ１の判定フローのみ説明する。
【００７４】
Ｓ９０１では、メモリ１４から入力端子Ａの同期情報が登録されているかどうかを判断し、登録されている場合はＳ９０３へ、未登録の場合はＳ９０２へと分岐する。Ｓ９０２では、アナログＲＧＢ信号Ａ及びＣＶ信号Ａが共に入力信号無と判定する。Ｓ９０３では、メモリ１４に登録されていた入力端子Ａ１の同期情報から同期信号の種類を識別し、ＳＯＧであればＳ９０５へ、ＳＯＧでなければＳ９０４へと分岐する。Ｓ９０４では、アナログＲＧＢ信号Ａが入力信号有とし、ＣＶ信号Ａが入力信号無と判定する。Ｓ９０５では、メモリ１４に登録されていた入力端子Ａ１の同期情報から垂直ライン数と水平同期周期を読み出し、不図示のＣＶ信号フォーマット一覧テーブルと比較する。ＣＶ信号フォーマット一覧テーブルは、予め表示装置に記憶されているもので、表示が行えるＣＶ信号フォーマットの垂直ライン数と水平同期周期が読み出せる。従って、メモリ１４から読み出した垂直ライン数と水平同期周期が、ＣＶ信号フォーマット一覧テーブルの何れかのフォーマットの垂直ライン数と水平同期周期に略一致すればビデオ系の信号であると判定される。ビデオ系の信号であると判定された場合はＳ９０６へ、そうでなかった場合はＳ９０４へと分岐する。Ｓ９０６では、アナログＲＧＢ信号Ａが入力信号無とし、ＣＶ信号Ａが入力信号有と判定する。以上のような判定フローを少なくとも、入力選択メニュー７０を表示する前に行う。より好ましい状態としては、入力選択メニューが表示されている間中、適切な間隔で繰り返し入力信号有無判定フローを実施し、変化があればＯＳＤの表示内容を更新する。
【００７５】
本制御によれば、入力選択部１３において入力を切り替えた場合でも、測定された同期情報はメモリ１４にて保持されているため、入力信号の種類を正しく判定することができる。ユーザーは、入力信号がある信号の種類を識別できるため、選択を誤る可能性が低減する。
【００７６】
本実施例では実施例１と同様に、入力端子Ａ１及び入力端子Ｂ２は、Ｄ−Ｓｕｂ１５ピン端子としたが、ＤＶＩ−Ｉ端子や５ＢＮＣ端子でも同様の効果が得られる。また、入力端子を２系統、入力信号が４種という定義であったが、それらが増加しても同様の効果を得る事が可能である。また、実施例２のように信号検出部４を信号変化検出部１１に置き換えても同様な効果が得られる。
【００７７】
以上、本実施形態について説明したが、本発明は本実施形態に限定されず、その要旨の範囲内で種々の変形及び変更が可能である。
【産業上の利用可能性】
【００７８】
本発明の表示装置は、投射型表示装置や液晶ディスプレイなどに適用可能である。
【符号の説明】
【００７９】
３…切替部（経路切替手段）、４…信号検出部（検出手段）、７…メモリ、８…メモリ制御部（メモリ制御手段）、１０…画像処理制御部（画像処理制御手段）、６４…パラメータ取得部（パラメータ取得手段）、９０…画像処理部（画像処理手段）
【図１】
2013242557.tif 000003
【図２】
2013242557.tif 000004
【図３】
2013242557.tif 000005
【図４】
2013242557.tif 000006
【図５】
2013242557.tif 000007
【図６】
2013242557.tif 000008
【図７】
2013242557.tif 000009
【図８】
2013242557.tif 000010
【図９】
2013242557.tif 000011